(57)【要約】【課題】太さ及び断面形状が異なる導線であっても、また、中間が分岐する導線の分岐部であっても複数本を纏めて固定することができるとともに、導線の固定を外れ難くすることができる導線固定構造、これを備える基板支持板、これを備える表示装置を提供する。【解決手段】適宜の部品に接続される導線の中間を受止める受止体４と、該受止体４にその一部が固定されている固定部５ａから導線の複数本が並べて配される方向へ延出され、且つ受止体４から離隔する方向への撓みを可能とした導線押え部５とを備え、受止体４が取付けられるべき被取付体６に係合して前記離隔する方向への撓み状態を維持し、前記係合を解除することにより導線押え部５を弾性復元させるべき突張凸部５４を導線押え部５に設けてある。【選択図】図６
2009266840.tif 000002
【特許請求の範囲】
【請求項１】
部品に接続される導線の中間を固定する導線固定構造において、前記導線の中間を受止める受止体と、該受止体にその一部が固定されている固定部から前記導線が並べて配される方向へ延出され、且つ前記受止体から離隔する方向への撓みを可能とした導線押え部とを備えていることを特徴とする導線固定構造。
【請求項２】
前記導線押え部は、前記受止体又は該受止体が取付けられるべき被取付体に係合して前記離隔する方向への撓み状態を維持し、前記係合を解除することにより該導線押え部を弾性復元させるべき突張凸部を有する請求項１記載の導線固定構造。
【請求項３】
前記突張凸部は、前記導線押え部が弾性復元したとき、前記受止体又は被取付体に係止されるべき被係止部を有する請求項２記載の導線固定構造。
【請求項４】
前記導線押え部は延出基部に可撓部を有し、該可撓部に前記突張凸部を設けてある請求項２又は３記載の導線固定構造。
【請求項５】
前記可撓部は前記撓み方向と交差する方向への偏倚が可能な第２可撓部を有し、該第２可撓部に前記突張凸部を設けてある請求項４記載の導線固定構造。
【請求項６】
前記受止体は、前記導線押え部が延出されている方向へ離隔した複数箇所に、前記導線の並び方向への移動を規制する規制部を有する請求項１から５のいずれか一つに記載の導線固定構造。
【請求項７】
前記導線押え部は合成樹脂材により前記受止体と一体に成形してある請求項１から６のいずれか一つに記載の導線固定構造。
【請求項８】
請求項７に記載の導線固定構造、及び前記受止体と一体に成形され、回路基板を支持すべき板部を備えることを特徴とする基板支持板。
【請求項９】
前側に表示面を有し、後側に導線接続部を有する表示部と、該表示部の後側に取付けられる回路基板と、該回路基板に一端が接続され、他端が前記導線接続部に接続される導線と、請求項７記載の導線固定構造とを備えることを特徴とする表示装置。
【請求項１０】
前記表示部の後側に取付けられる請求項８記載の基板支持板を備える請求項９記載の表示装置。
【請求項１１】
前記表示部は該表示部の後側に配される光源及び該光源を収容して支持するケース体を有し、該ケース体と一体に前記導線固定構造を設けてある請求項９記載の表示装置。
【請求項１２】
前記表示部は、前記被係止部を係止すべき係止凹部を有する請求項９又は１０記載の表示装置。
【発明の詳細な説明】
【技術分野】
【０００１】
本発明は回路基板等の適宜の部品に接続される導線の中間を固定する導線固定構造、及び前記回路基板を支持する基板支持板、並びに回路基板を支持してある基板支持板を備える液晶表示装置、プラズマ表示装置、ＳＥＤディスプレイ、ＥＬディスプレイ等の表示装置に関する。
【背景技術】
【０００２】
液晶表示装置は、前側に表示面を有するパネル部の後側に、複数本のランプ及び該ランプを収容支持したケース体を有する光源部を配し、前記ケース体の後面に、各ランプに接続されたインバータ回路基板を取付け、該インバータ回路基板に複数本の導線が接続されており、該導線の中間を固定する導線固定部が前記ケース体の一側部に一体に設けられている（例えば、特許文献１参照）。導線固定部は、リブと、該リブに開設された嵌合溝とを有し、該嵌合溝に導線の中間を嵌め込むことにより固定するように構成されている。
【０００３】
また、本発明出願人が開発している液晶表示装置の導線は、単線、複数本の単線が束ねられた束ね線、シート状線等のさまざまの種類があり、このさまざまの種類の導線に対応した導線固定具が用いられている。導線固定具は、一本の導線に対し２〜１０個以上が使用され、配線経路に沿う箇所に離隔して取付けられている。
【特許文献１】特開２００２−３５０８５１号公報
【発明の開示】
【発明が解決しようとする課題】
【０００４】
ところが、特許文献１のようにランプを収容するケース体と一体に成形されたリブの嵌合溝に導線を固定する構造にあっては、導線の太さ、断面形状の違いにより導線が嵌合溝から抜け出し易く、また、この抜け出しを防ぐべく粘着テープを貼付ける場合は、部品点数及び固定作業工数が増加することになり、好ましくない。また、本発明出願人が開発している液晶表示装置にあっては、導線固定具の個数が比較的多いため、導線固定具を取付けるための加工工数及び取付工数が増加し、好ましくない。
【０００５】
本発明は斯かる事情に鑑みてなされたものであり、主たる目的は適宜の部品に接続される複数本の導線の中間を受止める受止体と、該受止体にその一部が固定されている固定部から前記導線の複数本が並べて配される方向へ延出され、且つ前記受止体から離隔する方向への撓みを可能とした導線押え部とを設けることにより、太さ及び断面形状が異なる導線であっても、また、中間が分岐する導線の分岐部であっても複数本を纏めて固定することができるとともに、導線の固定を外れ難くすることができる導線固定構造、及びこの導線固定構造を備える基板支持板、並びに基板支持板を備える表示装置を提供することにある。
【課題を解決するための手段】
【０００６】
本発明に係る導線固定構造は、部品に接続される導線の中間を固定する導線固定構造において、前記導線の中間を受止める受止体と、該受止体にその一部が固定されている固定部から前記導線が並べて配される方向へ延出され、且つ前記受止体から離隔する方向への撓みを可能とした導線押え部とを備えていることを特徴とする。
【０００７】
この発明にあっては、導線押え部を撓ませた状態で、該導線押え部と受止体との間に導線を並べて配し、導線押え部を弾性復元させることにより該導線押え部が導線を受止体に押えて固定することができる。因って、太さ及び断面形状が異なる導線であっても、また、中間が分岐する導線の分岐部であっても複数本を纏めて固定することができ、導線の中間を固定する固定作業性を向上でき、また、導線の中間の固定が外れるのを防ぐことができる。
【０００８】
また、本発明に係る導線固定構造は、前記導線押え部は、前記受止体又は該受止体が取付けられるべき被取付体に係合して前記離隔する方向への撓み状態を維持し、前記係合を解除することにより該導線押え部を弾性復元させるべき突張凸部を有する構成とするのが好ましい。
この発明にあっては、導線の中間を固定する際、突張凸部により導線押え部を撓ませた状態に維持することができるため、複数本の導線を、導線押え部と受止体との間に並べて容易に配することができ、導線の中間を固定する固定作業性をより一層向上できる。
【０００９】
また、本発明に係る導線固定構造は、前記突張凸部は、前記導線押え部が弾性復元したとき、前記受止体又は被取付体に係止されるべき被係止部を有する構成とするのが好ましい。
この発明にあっては、導線押え部が弾性復元して導線の中間を固定したとき、突張凸部の被係止部が係止されるため、導線押え部が不測に撓むのを防ぐことができ、導線固定部に外部振動が加わった場合でも導線の中間の固定状態を維持することができる。
【００１０】
また、本発明に係る導線固定構造は、前記導線押え部は延出基部に可撓部を有し、該可撓部に前記突張凸部を設けてある構成とするのが好ましい。
この発明にあっては、導線押え部を可撓部から撓ませる際、該可撓部の撓みとともに突張凸部を撓みの方向へ移動させ、導線押え部を突張ることが可能であるため、突張凸部を殊更操作することなく導線押え部の撓み状態を維持することが可能であり、導線の中間を固定する固定作業性をより一層向上し得る。
【００１１】
また、本発明に係る導線固定構造は、前記可撓部は前記撓み方向と交差する方向への偏倚が可能な第２可撓部を有し、該第２可撓部に前記突張凸部を設けてある構成とするのが好ましい。
この発明にあっては、導線押え部を撓ませ、該導線押え部と受止体との間に複数本の導線を並べて配した後、可撓部の撓み方向と交差する方向へ第２可撓部を偏倚させることにより突張凸部による導線押え部の突張りを解除し、且つ偏倚した箇所で被係止部の係止が可能であり、突張凸部を係止するための作業工数を削減し得る。
【００１２】
また、本発明に係る導線固定構造は、前記受止体は、前記導線押え部が延出されている方向へ離隔した複数箇所に、前記導線の並び方向への移動を規制する規制部を有する構成とするのが好ましい。
この発明にあっては、導線押え部と受止体との間に並べて配した複数本の導線が、導線押え部が弾性復元するまでに並び方向へ移動するのを規制部により規制することができるため、並べて配する導線の個数が比較的多い場合でも導線の中間を固定する固定作業性を向上することができる。
【００１３】
また、本発明に係る導線固定構造は、前記導線押え部は合成樹脂材により前記受止体と一体に成形してある構成とするのが好ましい。
この発明にあっては、可撓の導線押え部を簡易に得ることができる。
【００１４】
また、本発明に係る基板支持板は、前述の発明の導線固定構造、及び前記受止体と一体に成形され、回路基板を支持すべき板部を備えることを特徴とする。
この発明にあっては、回路基板を支持する基板支持板の板部と一体に受止体及び導線押え部が成形されているため、部品点数を増加することなく導線固定構造を得ることができ、導線固定構造を比較的安価に得ることができる。
【００１５】
また、本発明に係る表示装置は、前側に表示面を有し、後側に導線接続部を有する表示部と、該表示部の後側に取付けられる回路基板と、該回路基板に一端が接続され、他端が前記導線接続部に接続される導線と、前述の発明の導線固定構造とを備えることを特徴とする。
この発明にあっては、導線押え部を撓ませた状態で、該導線押え部と受止体との間に複数本の導線を並べて配し、導線押え部を弾性復元させることにより該導線押え部が複数本の導線を受止体に押えて固定することができるため、太さ及び断面形状が異なる導線であっても複数本を纏めて固定することができ、また、中間が分岐する導線の分岐部であっても固定することができ、導線の中間を固定する固定作業性を向上できる。また、導線の固定が外れるのを防ぐことができる。
【００１６】
また、本発明に係る表示装置は、前記表示部の後側に取付けられる前述の発明の基板支持板を備える構成とするのが好ましい。
この発明にあっては、回路基板を支持する基板支持板の板部と一体に受止体及び導線押え部が成形されているため、部品点数を増加することなく導線固定構造を得ることができ、導線固定構造を備える表示装置のコストを低減することができる。
【００１７】
また、本発明に係る表示装置は、前記表示部は該表示部の後側に配される光源及び該光源を収容して支持するケース体を有し、該ケース体と一体に前記導線固定構造を設けてある構成とするのが好ましい。
この発明にあっては、光源を収容して支持するケース体と一体に受止体及び導線押え部が成形されているため、部品点数を増加することなく導線固定構造を得ることができ、導線固定構造を備える表示装置のコストを低減することができる。
【００１８】
また、本発明に係る表示装置は、前記表示部は、前記被係止部を係止すべき係止凹部を有する構成とするのが好ましい。
この発明にあっては、係止凹部が余計に開設されるだけで突張凸部の被係止部を係止することができるため、部品点数を増加することなく突張凸部を係止することができる。
【発明の効果】
【００１９】
本発明によれば、導線押え部と受止体との間に複数本の導線を並べて配し、導線押え部の弾性復元により導線夫々を受止体に押えて固定することができるため、太さ及び断面形状が異なる導線であっても、また、中間が分岐する導線の分岐部であっても複数本を纏めて固定することができ、導線の中間を固定する固定作業性を向上できる。
【発明を実施するための最良の形態】
【００２０】
図１は本発明に係る導線固定構造、及び基板支持板の構成を示す正面図、図２は図１のII−II線の断面図、図３は図１のIII −III 線の断面図、図４は導線固定構造の導線押え部を撓ませた状態を示す断面図である。基板支持板１は、略四角形をなし、回路基板２を支持する板部１ａと、該板部１ａの一辺から外方へ延出され、並べて配される複数本の導線３を一面に受止める細幅板状の受止体４と、該受止体４の長手方向一端部にその一端が固定されている固定部５ａから導線３の複数本が並べて配される方向へ延出され、且つ受止体４の一面４ａから離隔する方向への撓みを可能とした導線押え部５とを備える合成樹脂製であり、板部１ａが成形される際、受止体４及び導線押え部５が板部１ａと一体に成形されている。板部１ａには回路基板取付用の複数の第１孔と、板部１ａを被取付体６に取付けるための第２孔とが開設されている。
【００２１】
受止体４は、略コ字形をなす貫通孔４１を有し、該貫通孔４１内の舌片を一面４ａよりも外側へ偏倚させることにより帯板状の導線押え部５が形成されている。受止体４における固定部５ａの近傍には一つの挿通孔４２が開設されている。また、受止体４の一面４ａで、導線押え部５が延出されている方向へ離隔した複数箇所には、導線３が並べて配される方向への移動を規制する規制部４３が一体に設けられている。
【００２２】
規制部４３は、導線押え部５の偏倚量Ｈよりも長い長さを有する円柱形をなし、貫通孔４１の縁部に突設されている。
【００２３】
導線押え部５は、固定部５ａ側の延出基部に二つのスリット５１，５１を開設することにより該延出基部を可撓部５２とし、受止体４の一面４ａから離隔する方向への撓みを可能としてある。可撓部５２におけるスリット５１，５１間の部片は、可撓部５２の撓み方向と交差する方向への偏倚が可能な第２可撓部５３になっており、この第２可撓部５３に、受止体４が被取付体６に取付けられたとき、該被取付体６に係合して前記離隔する方向への撓み状態を維持し、被取付体６との係合を解除することにより導線押え部５を弾性復元させる突張凸部５４と、操作凸部５５とを一体に設けてある。
【００２４】
突張凸部５４は、導線押え部５の裏面と受止体４の他面４ｂとの間の距離よりも長い長さを有する円柱形をなし、該突張凸部５４の先端が被取付体６と係合したとき、図４に示すように可撓部５２を撓ませ、導線押え部５を受止体４の一面４ａに対し傾斜させ、導線押え部５及び受止体４間の距離が可撓部５２から漸次長くなるように構成されている。また、突張凸部５４の先端部周面を被係止部５４ａとしてある。
【００２５】
操作凸部５５は、突張凸部５４と反対方向へ延出された円柱形をなし、該操作凸部５５を固定部５ａ側へ指で押圧することにより可撓部５２を撓ませることができ、また、操作凸部５５を一方のスリット５１側、換言すると導線押え部５の幅方向一方へ指で押圧することにより、スリット５１，５１間の第２可撓部５３を変形させ、突張凸部５４による導線押え部５の突張を解除することができるように構成されている。
【００２６】
被取付体６には、挿通孔４２に対応する部位に第３孔が開設され、また、突張凸部５４と係合する係合箇所に関して導線押え部５の幅方向へ偏倚する部位に係止凹部としての長孔状の第４孔が開設され、突張凸部５４における被係止部５４ａの第４孔との接触抵抗により突張凸部５４を係止し、導線押え部５の弾性復元状態を維持することができるように構成される。また、被取付体６の前記第２孔と対応する部位には第５孔が開設される。
【００２７】
図５は基板支持板１が被取付体６に取付けられた状態を示す正面図、図６は図５のVI−VI線の断面図、図７は図５のVII −VII 線の断面図、図８は導線押え部５が撓んでいる状態を示す正面図、図９は導線３の中間が固定された状態を示す正面図、図１０は図９のX −X 線の断面図である。
【００２８】
以上のように構成された導線固定構造、及び基板支持板１は、電子部品及び複数の導線接続部が実装されている回路基板２が、受止体４に導線接続部が臨むようにして板部１ａの前記第１孔に取付けられ、基板支持板１の板部１ａが被取付体６の前記第５孔に取付けられる。この板部１ａが取付けられるとき、ビス等の雄螺子１０を受止体４の挿通孔４２へ挿通し、被取付体６の前記第３孔に螺着することにより受止体４を被取付体６に取付ける。
【００２９】
基板支持板１を取付けるとき、導線押え部５の可撓部５２に設けられている突張凸部５４の先端が被取付体６に係合し、図６に示すように可撓部５２が撓み、導線押え部５の延出先側は受止体４と離隔する側へ偏倚する。因って、導線押え部５を殊更操作することなく、受止体４を取付ける作業だけで導線押え部５を受止体４と離隔する側へ撓ませることができ、導線３の中間を固定するための作業性を向上することができる。
【００３０】
導線固定構造は基板支持板１と合成樹脂材により一体に成形されているため、部品点数を増加することなく、また、部品取付用に加工を殊更行うことなく導線固定構造を備えることができる。また、回路基板２を支持する板部１ａの周縁を外方へ延出することにより受止体４を形成してあり、この延出された受止体４と一体に導線押え部５が形成されているため、回路基板２を支持する板部１ａに対する導線固定構造の張出し量を比較的低減でき、導線固定構造を備える基板支持板１を比較的小形にできる。
【００３１】
板部１ａに取付けられた回路基板２の導線接続部夫々には導線３が接続される。導線接続部は回路基板２の周縁に沿う方向へ離隔して配されており、導線３の中間は受止体４の一面４ａに並べて配される（図８参照）。この際、導線３は隣合う規制部４３間に順次配され、規制部４３により、並べて配される方向への移動が規制される。
【００３２】
このように導線３が並べて配された後、操作凸部５５を導線押え部５の幅方向一方へ押圧し、スリット５１，５１間の第２可撓部５３を変形させることにより（図９参照）、突張凸部５４の被係止部５４ａが、被取付体６の係止凹部としての長孔状の第４孔６１に嵌入され、導線押え部５が弾性復元し、導線３を受止体４の一面４ａに押える。この場合、並べて配された導線３の中間は、導線押え部５の弾性復元により押えられ、さらに、規制部４３により移動を規制され、また、突張凸部５４の移動を防ぐことができ、導線３の中間の固定状態を維持することができる。
【００３３】
メンテナンス等で、導線３の中間の固定を解除する場合、操作凸部５５を導線押え部５の幅方向一方へ押圧して突張凸部５４における被係止部５４ａの前記第４孔６１との係合を解除した状態で操作凸部５５を固定部５ａ側へ押圧し、突張凸部５４の先端を被取付体６に係合させることができ、図６に示すように導線押え部５を受止体４と離隔する側へ可撓部５２から撓ませることができ、導線３の中間の固定を容易に解除することができる。
【００３４】
以上のように構成された導線固定構造を備える基板支持板１は、液晶テレビジョン等の薄型の表示装置に装着される。
図１１は本発明に係る表示装置の構成を示す模式的断面図、図１２は表示装置における表示部の後側の構成を示す背面図である。
【００３５】
図示した薄型の表示装置は、前側にパネル部７１を有し、後側に該パネル部７１へ光を照射する光源部７２を有し、略直方体をなす表示部７と、該表示部７の後側に配され、メイン回路基板２１を支持してある基板支持板１及び電源回路基板２２を支持してある基板支持板８ と、メイン回路基板２１及び電源回路基板２２等の部品に接続してある複数本の導線３ａ〜３ｆと、受止体４及び導線押え部５を有し、４本の導線３ａ〜３ｄの中間を固定する導線固定構造と、表示部７の周縁部及び後側を被覆するキャビネット９とを備える液晶テレビジョンである。
【００３６】
パネル部７１は、前側に表示面を有し略直方体をなすパネル７１ａ、及び該パネル７１ａの後側に配された拡散板等の光学シート７１ｂを備える。光源部７２は、光学シート７１ｂの後側に上下に離隔して並置され、該光学シート７１ｂ側へ光を照射する複数本のランプ７２ａと、該ランプ７２ａを収容して支持するケース体７２ｂとを備え、該ケース体７２ｂの後面にインバータ回路基板２３が装着されている。ランプ７２ａは両端部に電極を有する冷陰極管であり、ランプ７２ａ夫々の端部の電極にインバータ回路基板２３が接続され、パルス幅変調信号により明るさが制御されるように構成されている。
【００３７】
ケース体７２ｂは略直方体をなし、後面の一側部には、光源部７２を駆動するインバータ回路基板２３がビス等の雄螺子により取付けられており、後面の下部で横方向中央部には、パネル部７１の駆動及び制御を行う制御回路基板２４がビス等の雄螺子により取付けられている。ケース体７２ｂの後面の横方向中間には二つの補強用桟７３，７３が設けられており、該ケース体７２ｂの後面及び補強用桟７３，７３が被取付体６を構成しており、受止体４の挿通孔４２に対応する第３孔が一方の補強用桟７３に開設されている。補強用桟７３，７３の下部には図示していないスタンドが取付けられる。また、一方の補強用桟７３の一部には係止部としての前記第４孔６１（図示せず）が開設されている。
【００３８】
メイン回路基板２１はパネル部７１に表示する映像を処理させるもので、略四角形をなし、複数の電子部品及び導線接続部が実装されており、該メイン回路基板２１に対応する大きさの板部１ａにビス等の雄螺子により取付けられている。導線接続部は一方の補強用桟７３と向き合う一側部に長手方向に離隔して複数配されている。
【００３９】
基板支持板１は、メイン回路基板２１に対応して略四角形をなし、メイン回路基板２１を支持する板部１ａと、該板部１ａの一辺で、メイン回路基板２１の導線接続部側から外方へ延出され、複数本の導線３ａ〜３ｄの中間を受止める受止体４、及び導線３ａ〜３ｄを受止体４の一面４ａへ押える導線押え部５とを有する合成樹脂製であり、周縁部に複数の第２孔が開設されており、第２孔に挿通するビス等の雄螺子によりケース体７２ｂの後面に取付けられる。板部１ａはケース体７２ｂの他側縁と補強用桟７３との間に配され、受止体４は補強用桟７３の一部と対向する箇所に配されている。
【００４０】
電源回路基板２２は、メイン回路基板２１、インバータ回路基板２３及び制御回路基板２４等の部品に電圧を供給するもので、複数の電子部品及び導線接続部が実装されており、該電源回路基板２２に対応する大きさの基板支持板８にビス等の雄螺子により取付けられている。
【００４１】
基板支持板８は、略四角形をなし、周縁部に複数の第６孔が開設されており、第６孔に挿通するビス等の雄螺子によりケース体７２ｂの後面に取付けられる。
【００４２】
導線３は、メイン回路基板２１と電源回路基板２２とに接続された１本の導線３ａ、メイン回路基板２１と制御回路基板２４とに接続された２本の導線３ｂ，３ｃ、メイン回路基板２１とインバータ回路基板２３とに接続された１本の導線３ｄと、電源回路基板２２とインバータ回路基板２３とに接続された１本の導線３ｅ、電源回路基板２２と制御回路基板２４とに接続された１本の導線３ｆ等、太さ及び断面形状が異なる複数本の導線を有し、導線３ａ〜３ｆ夫々の両端にコネクタが結合されている。メイン回路基板２１の導線接続部に接続される導線３ａ〜３ｄは、表示部の上下方向へ離隔した位置に並べて配される。
【００４３】
導線固定構造の受止体４は、メイン回路基板２の導線接続部に接続される４本の導線３ａ〜３ｄの中間を受止める細幅板状をなしている。
【００４４】
キャビネット９は、図１１に示すように表示部７の周縁部を被覆する枠部９１と、深皿形をなし、表示部７の後側を被覆する蓋板部９２とを有しており、枠部９１及び蓋板部９２がケース体７２ｂの周縁部に複数のビス等の雄螺子により取付けられている。
【００４５】
以上のように構成された表示装置は、メイン回路基板２１の導線接続部に臨む箇所に導線固定構造が配されており、メイン回路基板２１の導線接続部に接続されている４本の導線３ａ〜３ｄの中間が受止体４の一面に並べて配され、この導線３ａ〜３ｄ夫々の中間が導線押え部５により受止体４に押えられ、固定される。
【００４６】
導線固定構造は基板支持板１と合成樹脂材により一体に成形されているため、部品点数を増加することなく導線固定構造を備えることができ、また、基板支持板１の周縁を外方へ延出することにより受止体４を形成してあり、この延出された受止体４と一体に導線押え部５が形成されているため、回路基板２を支持する板部１ａに対する導線固定構造の張出し量を比較的低減でき、導線固定構造を備える基板支持板１を比較的小形にできる。その他、図１〜図１０に示した導線固定構造を備えた基板支持板１の作用効果と同じ作用効果を奏する。
【００４７】
尚、以上説明した実施の形態では、基板支持板１が導線固定構造を備える構成としたが、その他、導線固定構造は光源部７２のケース体７２ｂが備える構成としてもよい。この場合、ケース体７２ｂの少なくとも後壁は合成樹脂製とし、該後壁と一体に導線固定構造（受止体４、導線押え部５）が成形される。
【００４８】
また、以上説明した実施の形態では、導線固定構造を合成樹脂製としたが、その他、導線固定構造は少なくとも受止体４と導線押え部５とが一体の金属板製とし、受止体４を被取付体６に取付ける構成としてもよい。
【００４９】
また、以上説明した実施の形態では、受止体４が被取付体６に取付けられるとき、導線押え部５を受止体４と離隔する側へ撓ませるための突張凸部５４を有する構成としたが、その他、突張凸部５４は、導線押え部５又は受止体４に起伏可能に設け、該突張凸部５４を起立させることにより導線押え部５を撓ませ、突張凸部５４を倒伏させることにより導線押え部５を弾性復元させるように構成してもよいし、また、図２に示す突張凸部５４を折り損可能とし、突張凸部５４により導線押え部５を撓ませた後、突張凸部５４を折ってなくすることにより導線押え部５を弾性復元させるように構成してもよい。
【００５０】
また、以上説明した実施の形態では、導線押え部５が突張凸部５４を有する構成としたが、その他、突張凸部５４は必ずしも必要でなく、導線押え部５の延出先部を摘んで該導線押え部５を受止体４と離隔する側へ撓ませるようにしてもよい。
【００５１】
また、以上説明した実施の形態では、受止体４の一面に円柱形をなす規制部を有する構成としたが、その他、規制部は比較的低い凸状であってもよいし、また、なくしてもよい。
【００５２】
また、以上説明した実施の形態では、メイン回路基板２を支持する基板支持板１が導線固定構造を備える構成としたが、その他、電源回路基板２を支持する基板支持板８が導線固定構造を備える構成としてもよいし、また、一つの基板支持板１にメイン回路基板２１及び電源回路基板２２等の複数の回路基板２を支持し、該基板支持板１が一つ又は複数の導線固定構造を備える構成としてもよい。
【００５３】
また、以上説明した実施の形態において、導線押え部５の受止体４に対する偏倚量は全体にほぼ等しいが、その他、押える導線の太さ及び断面形状に対応して偏倚量を異ならせ、導線の押え力を均等化するように構成してもよい。また、導線押え部５は並べて配される導線の全てに押え力を加えることなく、少なくとも導線押え部５の延出先端部に配される導線に押え力を加え、他の一部の導線又は全ての導線には押え力を加えない構成としてもよい。
【００５４】
また、本発明に係る表示装置は液晶テレビジョン等の液晶表示装置である他、プラズマ表示装置、ＥＬディスプレイ等の表示装置であってもよい。
【図面の簡単な説明】
【００５５】
【図１】本発明に係る導線固定構造、及び基板支持板の構成を示す正面図である。
【図２】図１のII−II線の断面図である。
【図３】図１のIII −III 線の断面図である。
【図４】本発明に係る導線固定構造の導線押え部を撓ませた状態を示す断面図である。
【図５】本発明に係る基板支持板が被取付体に取付けられた状態を示す正面図である。
【図６】図５のVI−VI線の断面図である。
【図７】図５のVII −VII 線の断面図である。
【図８】本発明に係る基板支持板の導線押え部が撓んでいる状態を示す正面図である。
【図９】導線の中間が固定された状態を示す正面図である。
【図１０】図９のX −X 線の断面図である。
【図１１】本発明に係る表示装置の構成を示す模式的断面図である。
【図１２】本発明に係る表示装置における表示部の後側の構成を示す背面図である。
【符号の説明】
【００５６】
１    基板支持板
１ａ  板部
２    回路基板
３    導線
４    受止体
４２  挿通孔
４３  規制部
５    導線押え部
５ａ  固定部
５２  可撓部
５３  第２可撓部
５４  突張凸部
５４ａ  被係止部
６    被取付体
６１  第４孔（係止凹部）
７    表示部
７２  光源部
７２ａ  ランプ
７２ｂ  ケース体
【図１】
2009266840.tif 000003
【図２】
2009266840.tif 000004
【図３】
2009266840.tif 000005
【図４】
2009266840.tif 000006
【図５】
2009266840.tif 000007
【図６】
2009266840.tif 000008
【図７】
2009266840.tif 000009
【図８】
2009266840.tif 000010
【図９】
2009266840.tif 000011
【図１０】
2009266840.tif 000012
【図１１】
2009266840.tif 000013
【図１２】
2009266840.tif 000014